(57)【特許請求の範囲】
【請求項１】
建物の壁の開口部に固定された方形枠に片側からパネルを嵌め込み、上記方形枠の内面に突設されている受け板の片側表面に上記パネルの框の他側表面を当接させ、このパネル框の上面または側面に付設されている複数個の固定金具をそれぞれ上記の受け板の対応部分に固定するようにした建物のパネル取付け装置において、上記の固定金具が上記受け板の片側表面と平行に対向する舌片を備えており、上記の受け板に該受け板と接するパネル框と平行な長孔が開口し、この長孔にボルトが他側から該長孔の方向に移動できるように挿入され、このボルトの突出端が上記受け板の片側に重ねられた押さえ板にねじ込まれ、この押さえ板が上記ボルトの移動により上記の舌片に重ねられ、この舌片が上記ボルトの締結により押さえ板と受け板間に挟まれて受け板に固定されることを特徴とする建物のパネル取付け装置。
【請求項２】
方形枠内面に突出する受け板先端の片側表面にパネル框の他側表面と接する気密材支持用の突条が突設されており、この突条と上記方形枠との間に押さえ板が移動可能に挟まれた請求項１に記載の建物のパネル取付け装置。
【発明の詳細な説明】
【０００１】
【発明の属する技術分野】
この発明は、建物の外壁、内壁、間仕切り等の壁に形成した方形の開口部に固定障子その他のパネルを固定するための取付け装置に関し、上記パネルの取付け作業を容易にし、作業時間の短縮を可能にするものである。
【０００２】
【従来の技術】
建物の窓を塞ぐ固定障子として、障子框にあらかじめガラス板を取り付けてなる障子を、建物の壁に固定されている窓枠に直接、または窓枠の内側の方立間に嵌め込むようにしたものが知られている。図１は、上記固定障子の一例を示し、１０は建物の壁、１１はアルミ製の上枠、１２は同じくアルミ製の下枠であり、上枠１１および下枠１２が縦枠１３と共に方形の窓枠を構成している。そして、上枠１１の下面にはフランジ状の受け板１１ａが、下枠１２の上面には逆Ｌ字形の受け板１２ａが、また縦枠１３の内面には上枠１１と同様にフランジ状の受け板１３ａがそれぞれ突設され、これら受け板１１ａ、１２ａ、１３ａの先端部によって方形の受け部が形成され、その戸外側表面に気密材１４が固定される。
【０００３】
なお、上記壁１０の開口部上辺には上部化粧板１５が上枠１１の基部下面にまたがって固定され、この上部化粧板１５と上枠１１の基部との間に上板１６が介設される。また、上記壁１０の開口部下辺には下板１７が下枠１２の基部内面にまたがって固定され、その上に中板１８を介して膳板１９が固定される。また、壁１０の開口部側辺には、上記の上部化粧板１５と同様な側部化粧板２０が固定される。また、上枠１１の戸外側下面にＶ字形のバネ板２１が先端を屋内側に向けて複数個固定され、下枠１２の戸外側上面に幅方向（紙面に垂直な方向）に長い凹溝を備えたレール２２が固定される。
【０００４】
一方、障子２３は、アルミ製の方形の障子框２４に１枚または２枚のガラス板２５を固定したものであり、障子框２４の上面に上記バネ板２１の先端が係合する凹溝２４ａを幅方向に備え、下面に上記レール２２上の凹溝と嵌合する複数個の係合用突起２６を備えている。また、上記障子框２４の戸外側表面には、外周から四方に広がるフランジ２７が突設され、その屋内側縁部に沿って気密材２８が固定されている。そして、上記の障子２３は、鎖線で示すように傾斜させ、戸外側から下端の係合用突起２６をレール２２の凹溝に嵌め込み、しかるのち上部を押すと、実線で示すように、障子框２４の屋内側表面が受け板１１ａ、１２ａ、１３ａの先端部に当たって止まり、障子框２４上面の凹溝２４ａにバネ板２１の先端が係合して障子２３が仮固定される。
【０００５】
次いで、上記の障子２３は、図２に示すように本固定される。すなわち、障子框２４の側面にあらかじめ固定されているＬ字形の固定金具２９の突出端２９ａを縦枠１３から突出する受け板１３ａに重ね、屋内側からボルト３０の先端を受け板１３ａのボルト孔（円孔）に挿入し、更に固定金具２９の突出端２９ａのネジ孔にねじ込んで固定する。なお、図中、３１は障子ガイドであり、障子２４を嵌め込む際のセンタリングを行う。また、３２は受け板カバーであり、上記ボルト３０の締結後に嵌め込みにより取り付けられる。
【０００６】
しかしながら、上記従来の固定障子取付け装置は、窓枠の左右の受け板１３ａに開けられたボルト孔にボルト３０を屋内側から挿通し、その先端を障子に付設された固定金具２９の突出端２９ａのネジ孔にねじ込むものであるから、障子や窓枠の加工誤差や建付け具合等により、受け板１３ａのボルト孔と固定金具２９のネジ孔とが合致し難くなり、その合致のために受け板１３ａのボルト孔を広げたり、開け直したりする必要が生じて取付けに手間が掛かり、特に２階以上の高所作業では危険が増すという問題があった。また、受け板１３ａのボルト孔を広げたり、開け直したりするためには、その孔を隠すために上記突出端２９ａの左右方向長さを大きく設定する必要が生じ、そのため受け板１３ａの幅が大きくなり、採光面積が狭くなっていた。
【０００７】
【発明が解決しようとする課題】
この発明は、建物の外壁、内壁、間仕切り等、任意の壁の開口部に固定された方形枠に片側から障子のように方形の框の内側に少なくとも１枚の板を固定してなる方形のパネルを嵌め込み、上記方形枠の内面に突設されている受け板の片側表面に上記パネルの框の他側表面を当接させ、上記框の上面または側面に付設されている複数個の固定金具をそれぞれ上記の受け板の対応部分に固定するようにした建物のパネル取付け装置において、上記パネルの取付けに際し、パネルや方形枠に加工誤差があっても、ボルト孔の手直し加工を不要にし、上記ボルトの締付けのみで障子を容易に固定できるようにしたものである。
【０００８】
【課題を解決するための手段】
この発明に係る建物のパネル取付け装置は、建物の壁の開口部に固定された方形枠に片側からパネルを嵌め込み、上記方形枠の内面に突設されている受け板の片側表面に上記パネルの框の他側表面を当接させ、このパネル框の上面または側面に付設されている複数個の固定金具をそれぞれ上記の受け板の対応部分に固定するようにした建物のパネル取付け装置において、上記の固定金具が上記受け板の片側表面と平行に対向する舌片を備えており、上記の受け板に該受け板と接するパネル框と平行な長孔が開口し、この長孔にボルトが他側から該長孔の方向に移動できるように挿入され、このボルトの突出端が上記受け板の片側に重ねられた押さえ板にねじ込まれ、この押さえ板が上記ボルトの移動により上記の舌片に重ねられ、この舌片が上記ボルトの締結により押さえ板と受け板間に挟まれて受け板に固定されることを特徴とする。
【０００９】
上記の装置において、方形枠に片側からパネル（例えば、障子）を従来と同様に嵌め込むと、パネルの框（例えば、障子框）が方形枠（例えば、窓枠）の受け板の先端側に接し、同時にパネル框の上面または側面に取付けられている固定金具の舌片が上記受け板の基部側に接近して受け板と平行に対向する。なお、上記受け板上の押さえ板は、あらかじめ上記舌片と干渉しない位置にボルトで固定される。そして、上記パネルの嵌め込み後、他側からボルトを弛め、ボルトの頭で押さえ板を長孔に沿ってスライドさせることにより、押さえ板が上記舌片の上に重ねられ、しかるのちボルトを締めることにより、押さえ板が受け板側に引き寄せられ、その間に上記の舌片が強く挟まれ、パネルが方形枠に固定される。この場合、押さえ板と舌片は、互いに幅方向の一部が重なればよいので、加工誤差を見越して幅を設定することにより、支障なくパネルを固定することができ、従来のように建設現場で加工の手直しをする必要がない。また、上記の舌片にねじ孔を設ける必要がないため、その幅を狭くでき、その分だけパネルの框の側面と方形枠の縦枠との間隔を狭くすることができ、固定障子の取付けに適用した場合は、採光面積を広げることが可能になる。
【００１０】
上記建物のパネル取付け装置において、方形枠内面に突出する受け板先端の片側表面にパネル框の他側表面と接する気密材支持用の突条を突設させ、この突条と上記方形枠との間に押さえ板を移動可能に挟むことができ、この場合は、上記の突条と方形枠とが押さえ板のガイドとして機能し、押さえ板のボルトに対する回転が防止される。
【００１１】
上記の方形枠およびパネルの嵌め込み部の構造は任意であるが、方形枠の下部を構成する下枠の片側上面に下枠の長さ方向と平行な凹溝を備えたレールを固定し、パネル框の下面に上記の凹溝と嵌合する係合突起を設けることが好ましく、この場合は、パネルの嵌め込みに際し、最初にパネルの下端を嵌め込んでパネルの重量を方形枠に支持させることができ、かつ方形枠の下部においては前記の押さえ板、舌片およびボルトからなる固定装置を省略することができる。また、方形枠の側部を構成する縦枠の片側内面にパネルを片側から嵌め込む際にパネル框の側面に接してパネルを方形枠の中心に導く障子ガイドを設けることができ、この場合はパネルの位置が自動的に設定される。
【００１２】
【発明の実施の形態】
以下、この発明を障子の取付けに適用した実施形態を説明する。図３、図４および図５において、１３は窓枠（方形枠）の縦枠、１３ａは受け板、１３ｂは受け板１３ａの縁部戸外側に突設した突条、１４は気密材、２１はバネ板、２３は障子（パネル）、２４は障子框（パネル框）、２４ａは障子框２４の上面凹溝、２７はフランジ、２８は気密材、３１は障子ガイド（パネルガイド）であり、いずれも従来同様のものである。
【００１３】
図５において、１３ａは受け板であり、前記の窓枠を構成する縦枠１３（図３参照）の内面にフランジ状に突出している。この受け板１３ａの上下方向の任意の複数箇所に上下方向の長孔１３ｃが設けられ、この長孔１３ｃに屋内側（図５の紙面手前）からボルト４１が挿入される。上記受け板１３ａの戸外側には押さえ板４２が配置されており、この押さえ板４２に上記ボルト４１の先端がねじ込まれ、上記長孔１３ｃの上端に押さえ板４２が固定されている。
【００１４】
上記の押さえ板４２は、上下方向に長い長方形の板からなり、その幅は、図３に示すように、縦枠１３の内面と受け板１３ａ先端の突条１３ｂとの間に納まる程度に設定されている。そして、上記の押さえ板４２は、図４に示すように、その下半部４２ａが受け板１３ａから浮くように、ボルト４１のねじ込み部よりも下で折り曲げられている。なお、上記押さえ板４２の上半部裏面（受け板１３ａ側）には、プレートパッキング４３が裏打ちされている。
【００１５】
一方、障子２３には（図３参照）、障子框２４の側面に固定金具４５がボルト４６（図４参照）で固定される。この固定金具４５は、平板からなり、その屋内側端部（図３の下側）が直角に曲げられて前記の受け板１３ａと若干の隙間を隔てて平行に対向する舌片４５ａを形成し、その屈曲部の上半部に切込み溝４５ｂ（図４参照）が設けられ、上方から押さえ板４２の下半部４２ａが下降して舌片４５ａの戸外側に重なるのを可能にしている。
【００１６】
上記の構造において、押さえ板４２の固定用ボルト４１を長孔１３ｃの上端に位置させて押さえ板４２を受け板１３ａに固定する。この状態で従来と同様に（図１参照）、障子２３を傾斜させ、戸外側から障子２３の下端の係合用突起２６を窓枠下端のレール２２の凹溝に嵌め込み、障子２３の上部を押して障子框２４を窓枠に嵌め込み、障子框２４上面の凹溝２４ａにバネ板２１を係合して障子２３を仮固定する。
【００１７】
次いで、屋内側でボルト４１を弛め、このボルト４１を下降させて押さえ板４２の下半部４２ａを障子框２４に固定の舌片４５ａ上に重ねて上記のボルト４１を固く締め付け、この締付け操作を障子２３の回りの全固定金具４５について繰り返すと、障子の本固定が完了する。このとき、押さえ板４２に裏打ちされているプレートパッキング４３が受け板１３ａの長孔１３ｃを塞ぎ、雨水や空気の侵入を防ぐ役目をしている。
【００１８】
上記の押さえ板４２、ボルト４１および固定金具４５からなる固定装置の個数は、障子２３の大きさに応じて適宜に設定することができる。そして、障子２３の左右の縦框を固定する場合について説明したが、上框を固定することも可能であり、この場合は障子の幅に応じて２箇所、３箇所等に設けることができる。また、上框に固定する場合は、押さえ板４２を横にスライドさせる形態とするのが好ましい。
【００１９】
【発明の効果】
上記のとおり、この発明に係る建物のパネル固定装置は、建物の壁に固定された窓枠（方立を含む）その他の方形枠に片側から障子その他のパネルを嵌め込んで固定する際、パネルや方形枠に加工誤差や建付け誤差があっても、ボルトを弛めて押さえ板を移動し、しかるのちボルトを締付けることのみでパネルを容易に固定することができ、従来のように建設現場でボルト孔等の加工の手直しをする必要がない。また、パネル框と方形枠の間隔を狭くすることができ、この発明を固定障子の固定装置に適用した場合は、ガラス面積を広げ、採光面積を広くすることが可能になる。特に請求項２に記載の発明によれば、押さえ板がボルトに対して回転することがないため、パネルの固定作業が一層円滑になる。
【図面の簡単な説明】
【図１】この発明の実施形態の縦断面図である。
【図２】従来の固定手段を示す要部の横断面図である。
【図３】実施形態の要部の横断面図である。
【図４】図３のＡ−Ａ線断面図である。
【図５】図４のＢ−Ｂ線断面図である。
【符号の説明】
１０：建物の壁
１１：上枠（窓枠）
１２：下枠（窓枠）
１３：縦枠（窓枠）
１１ａ、１２ａ、１３ａ：受け板
１３ｂ：突条
１３ｃ：長孔
１４：気密材
２１：バネ板
２２：レール
２３：障子（パネル）
２４：障子框（パネル框）
２４ａ：凹溝
２５：ガラス板
２６：係合用突起
２７：フランジ
２８：気密材
３１：障子ガイド（パネルガイド）
３２：受け板カバー
４１、４６：ボルト
４２：押さえ板
４２ａ：下半部
４３：プレートパッキング
４５：固定金具
４５ａ：舌片
４５ｂ：切込み溝
【図１】
0003643009.tif 000002
【図２】
0003643009.tif 000003
【図３】
0003643009.tif 000004
【図４】
0003643009.tif 000005
【図５】
0003643009.tif 000006